(57)【要約】【課題】スライド時の正確な位置と方向を保持し、使用者の安全を確保する作用を備えるスキー或いはその類似物のスライド補助装置を提供する。【解決手段】スキー或いはその類似物のスライド補助装置は、スキー或いはその類似物の正確な位置を保持することができ、特殊な状況において減速等作用を生じることができ、対称形態のカンチレバー30を備え、カンチレバー30は第一端31、及びスキー或いはその類似物を設置する第二端32を備え、ブリッジ40はカンチレバー30の第一端31に可動状に接続し、これによりカンチレバー30はターン可能な形態を形成し、カンチレバー30の第一端31或いはブリッジ40は開口31aを備え、カンチレバー30において正常でない運動が生じた時には、カンチレバー30とブリッジ40とは分離し、練習者或いは使用者の安全を守ることができる。【選択図】図５
0003177244.tif 000002
【実用新案登録請求の範囲】
【請求項１】
スキー或いはその類似物のスライド補助装置は、カンチレバーとブリッジの組合せを備え、
前記カンチレバーは、第一端、及びスキー或いはその類似物を設置する第二端を備え、
前記ブリッジは、取り外し可能な状態で、前記カンチレバーの第一端に可動状に接続し、これにより前記カンチレバーは、ターン可能な形態を形成し、
しかも、前記カンチレバーにおいて、正常でない運動が生じた時には、前記カンチレバーと前記ブリッジとは分離することを特徴とするスキー或いはその類似物のスライド補助装置。
【請求項２】
前記カンチレバーの第二端は、開放辺を備えるコネクター形態を呈し、
前記コネクターには、ボルトを配置することを特徴とする請求項１に記載のスキー或いはその類似物のスライド補助装置。
【請求項３】
前記カンチレバーの第一端には、開口、及び前記開口と連接する槽室を備え、
前記槽室に対応し、前記ブリッジには、栓を設置し、前記槽室内部に位置することを特徴とする請求項１に記載のスキー或いはその類似物のスライド補助装置。
【請求項４】
前記ブリッジは、板状物の形態で、上表面と下表面を備え、
前記栓は、前記下表面に垂直に突出する形態で、頭部を備えることを特徴とする請求項３に記載のスキー或いはその類似物のスライド補助装置。
【請求項５】
前記カンチレバー第一端には、ガード部を設置し、
前記ガード部に対応し、前記ブリッジには、動阻害部を備え、
前記カンチレバーの運動時には、前記ガード部と干渉状態を生じることを特徴とする請求項１に記載のスキー或いはその類似物のスライド補助装置。
【請求項６】
前記ガード部は、第一端に突出し、肩部の形態を形成することを特徴とする請求項５に記載のスキー或いはその類似物のスライド補助装置。
【請求項７】
前記動阻害部は、円弧突出形態を形成し、前記ブリッジの輪郭線上に位置することを特徴とする請求項５に記載のスキー或いはその類似物のスライド補助装置。
【請求項８】
前記カンチレバーのガード部と、前記ブリッジの動阻害部とが、干渉状態を生じる範囲は、120度以下であることを特徴とする請求項５に記載のスキー或いはその類似物のスライド補助装置。
【請求項９】
前記カンチレバーは、対称形態のブリッジと可動状に接続することを特徴とする請求項１に記載のスキー或いはその類似物のスライド補助装置。
【請求項１０】
前記ブリッジは、補強部を備えることを特徴とする請求項１に記載のスキー或いはその類似物のスライド補助装置。
【請求項１１】
前記ブリッジの下表面には、補強部を形成することを特徴とする請求項４に記載のスキー或いはその類似物のスライド補助装置。
【請求項１２】
前記カンチレバーの第一端には、栓を設置し、
前記栓に対応し、前記ブリッジには、槽室と開口を設置し、前記栓を設置することを特徴とする請求項１に記載のスキー或いはその類似物のスライド補助装置。
【請求項１３】
前記ブリッジの動阻害部は、凸状物の構造を形成し、前記第一端のガード部の運動範囲を限定することを特徴とする請求項５に記載のスキー或いはその類似物のスライド補助装置。
【考案の詳細な説明】
【技術分野】
【０００１】
本考案はスキー或いはその類似物のスライド補助装置に関し、特にスキッド上に配置し、スキッドスライド時の正確な位置と方向を保持し、使用者の安全を確保する作用を備えるスキー或いはその類似物のスライド補助装置に関する。
【背景技術】
【０００２】
両足で乗るスキー、或いはその類似物は、雪上、水上、或いは他の状況において見られる公知の技術である。
この種のスポーツを練習する際の問題は、運動の過程において、スキーの正確な位置と方向の保持が非常に難しいということである。
そのため、練習者はなかなか正確な運動姿勢を保つことができず、或いはバランスを崩してしまう。
【０００３】
上記した欠点を解決するため、従来の技術は、スキー上に設置するスキースライドの補助装置を開示する。
図１は、典型的な実施例を示す。
図１に示すように、補助装置は、２個の板状物10を可動状に接続し、ターン可能な連棒形態を形成する。
板状物10の反対端11には、封鎖或いは封鎖に近い形態の嵌合ヘッド12を形成し、スキー20に嵌合する。
嵌合ヘッド12には、ボルト13を配置し、スキー20が嵌合ヘッド12と板状物10から簡単に離脱しないよう、スキー20を緊密に固定する。
【０００４】
練習者或いは使用者が、スライドするスキー20を正確な位置と方向に制御することができない、或いはそれによりスキー20後端が開いてしまった時に、明確な抵抗力を生み出すことができれば、スキー20は減速し、練習者或いは人員の安全を確保することができる。
上記した課題に対応するため、板状物10と封鎖形態の嵌合ヘッド12の構造は、スキー20を緊密に固定後、足かせに類似した形態を形成する。
しかし、練習者がバランスを崩し、衝突し、或いは他の特殊な状況で転倒或いはひっくり返った時には、補助装置とスキー20との連結関係は、足が本体持つ特殊状況に対応する本能を制限してしまう。
これにより、練習者の脚部或いは足首は負傷し易い状況に陥る。
【０００５】
図２は、別種の従来の補助装置の具体的実施例を示す。
それは、嵌合ヘッドを、開放辺15を備えるコネクター14形態に設計する。
ブリッジ16は、リベット結合の方式で、２個のコネクター14を連結する。
しかも、これによりコネクター14は、自在にターン可能な形態を形成する。
コネクター14にも、ボルト13を配置し、これによりスキー20を緊密に固定する。
しかし、該項技術の習熟者ならよく知っているように、コネクター14とスキー20の緊密固定状態を、ボルト13を緩めずに、外力により分離することは非常に難しい。
すなわち、上記したように、バランスを崩し、衝突し、或いは他の特殊な状況が練習者に発生し、転倒或いはひっくり返った時には、やはり使用者或いは練習者が負傷するという状況が発生し得る。
【０００６】
上記した従来の技術は、スキースライド補助器、或いはそれに関連する結合部品の使用と構造設計における状況を開示しているが、もし、補助装置とそれに関連する部品構造を改良するなら、その使用形態を変えることができ、ある特殊な状況において、練習者或いは初心者が負傷するという従来の技術において発生する事態を実質的に改善することができ、応用における安全性を可能な限り高めることができる。
例えば、その構造設計が、設置或いは組み立てが簡便であるという条件において、危険な状況が発生した時、コネクターとブリッジに自動的に分離する作用を持たせることができれば、人員の足の動きを不当に制限する状況を回避することができる。
本考案は、従来のスキー或いはその類似物のスライド補助装置の上記した欠点に鑑みてなされたものである。
【考案の概要】
【考案が解決しようとする課題】
【０００７】
本考案が解決しようとする課題は、スキー或いはその類似物は正確な位置を保持することができ、特殊な状況において減速等作用を生じることができ、対称形態のカンチレバーを備え、カンチレバーは第一端、及びスキー或いはその類似物を設置する第二端を備え、ブリッジは取り外し可能な状態で、カンチレバーの第一端に可動状に接続し、これによりカンチレバーはターン可能な形態を形成し、カンチレバー第一端或いはブリッジは開口を備え、カンチレバーにおいて正常でない運動が生じた時には、カンチレバーとブリッジとを分離し、練習者或いは使用者の安全を守ることができるスキー或いはその類似物のスライド補助装置を提供することである。
【課題を解決するための手段】
【０００８】
上記課題を解決するため、本考案は下記のスキー或いはその類似物のスライド補助装置を提供する。
スキー或いはその類似物のスライド補助装置は、カンチレバー第一端に、ガード部を設置し、
該ガード部に対応し、該ブリッジには、動阻害部を備え、これにより該カンチレバーの第一端は、一定の角度範囲内でターンでき、
該カンチレバーの第一端が設定の角度範囲或いは位置に到達した時には、動阻害部は第一端のガード部と干渉状態を生じ、該第一端が設定の角度範囲或いは位置を越えないよう阻止し、
外力により該第一端のガード部が設定の角度範囲或いは位置を越えた時には、該第一端と該ブリッジとを分離し、
こうして、従来の構造では、使用者の脚部を制限するため、特殊な状況に対応することができず、練習者の脚部或いは足首が負傷し易かったという状況を明確に改善することができる。
【考案の効果】
【０００９】
本考案のスキー或いはその類似物のスライド補助装置は、正確な位置を保持することができ、特殊な状況において減速等作用を生じることができ、カンチレバーにおいて正常でない運動が生じた時には、カンチレバーとブリッジとを分離し、練習者或いは使用者の安全を守ることができる。
【図面の簡単な説明】
【００１０】
【図１】スキーと嵌合ヘッドとの組合せ状況を点線部分で示す従来のスキースライド補助装置の外観構造模式図である。
【図２】コネクターが開放形態を形成し、スキーと組合せる状況を示す従来の別種のスキースライド補助装置の外観構造模式図である。
【図３】スキーとコネクターとの組合せ状況を点線部分で示す本考案の外観構造模式図である。
【図４】カンチレバーとブリッジの下表面との状況を示す本考案の別種の外観構造模式図である。
【図５】本考案の構造分解模式図である。
【図６】カンチレバーのガード部とブリッジの動阻害部とが干渉状態を生じる状況を示す本考案カンチレバーの作動実施例模式図である。
【図７】カンチレバーのガード部とブリッジの動阻害部とが干渉状態を生じる状況を示す本考案カンチレバーの別種の作動実施例模式図である。
【考案を実施するための形態】
【００１１】
以下に図面を参照しながら本考案を実施するための最良の形態について詳細に説明する。
【実施例】
【００１２】
図３、４、５に示すように、本考案のスキー或いはその類似物のスライド補助装置は、カンチレバー30とブリッジ40の組合せを備える。
【００１３】
本実施例において、カンチレバー30は、対称形態を形成し、ブリッジ40と可動状に接続する。
カンチレバー30は、第一端31と第二端32を備える。
第二端32は、開放辺32bを備えるコネクター32a形態を形成し、スキー（或いはその類似物）20に装置する。
コネクター32aは、固定器或いはボルト50を配置し、スキー20を、コネクター32a内部に緊密に固定する。
【００１４】
一実施例中では、カンチレバー第一端31は、開口31a、及び開口31aと連接する槽室31bを備える。
槽室31bに対応し、ブリッジ40には、栓43を設置し、槽室31b内部に設置される。  具体的には、ブリッジ40は、板状物の形態で、上表面41、下表面42、及び下表面42に形成する補強部46を備える。
【００１５】
図に示すように、栓43は、下表面42に垂直に突出する形態で、頭部43aを備える。
そのため、栓43は、開口31aから、図中の水平方向に沿って槽室31b或いは第一端31を出ることだけができ、栓43と同様の突出方向から、或いは図中の垂直方向に沿って、第一端31を離れることはできない。
以下に説明を加える。
栓43が槽室31aを離れる力或いは作用力は、栓43と槽室31bとの対応状況、或いは緊密度により決定する。
すなわち、栓43と槽室31bとの対応度が緊密であればあるほど、栓43を槽室31bから離すには、より大きな力或いは作用力が必要である。
【００１６】
図３、４、５に示すように、カンチレバー第一端31には、ガード部31c、31dを設置する。
本実施例中では、ガード部31c、31dは、第一端31に突出し、肩部に類似の形態を形成する。
ガード部31c、31dに対応し、ブリッジ40は、動阻害部44、45を備える。
動阻害部44、45は、円弧突出形態を形成し、ブリッジ40の輪郭線上に位置するが、カンチレバー第一端31は、一定の角度範囲内でターンすることができる。
すなわち、動阻害部44、45の位置は、カンチレバー第一端31の運動範囲或いは角度を限定する。
本実施例中では、運動範囲或いは角度はおおよそ、120度以下である。
【００１７】
図６、７は、カンチレバー30とブリッジ動阻害部44、45の対応状況を示す。
図６に示すように、カンチレバー第一端31が、外力によりターンし、動阻害部44に至ると、第一端31のガード部31cは、動阻害部44により阻害され、或いは動阻害部44と干渉状態を生じる。
これにより、第一端31は動阻害部44を越えることができない。
【００１８】
図７に示すように、カンチレバー第一端31が外力によりターンし、動阻害部45に至ると、第一端31のガード部31d會は、動阻害部45に阻害され、或いは動阻害部45と干渉状態を生じる。
これにより、第一端31は動阻害部45を越えることができない。
よって、カンチレバー30或いは第一端31は、ブリッジ40の動阻害部44、45が設定する角度範囲或いは位置内に制限されターンする。
【００１９】
外力が第一端31のガード部31c或いは31dに加わり、動阻害部44或いは45の位置を越えた時には、栓43は槽室31bから開口31bを経てブリッジ40を離れ、これにより第一端31とブリッジ40は離脱する。
よって、使用者の脚部を制限するため、特殊な状況に対応することができず、負傷するという、従来の構造において頻発する状況を、明確に改善することができる。
【００２０】
別種の実施例では、カンチレバー第一端31の槽室31a、開口31b、及びブリッジ40の栓43の構造と対応形態は、相互に変更、或いは交換することができる。
すなわち、カンチレバー第一端31を栓の構造とすることができ、栓に対応して、ブリッジ40を、槽室と開口の構造形態に設置することができる。
【００２１】
さらに別種の実施例では、ブリッジ40の動阻害部44、45は、凸状物に類似の構造に形成し、第一端31のガード部31c、31dの運動範囲を限定することができる。
【００２２】
上記したように、本考案スキー或いはその類似物のスライド補助装置は、設置或いは組み立てが簡便であるという条件を備え、従来の構造に比較し、以下の長所を備える。
1.  補助装置と関連する結合部品の構造において、従来の構造の固定連結の組織形態とは異なり、カンチレバー第一端31には槽室31a、開口31b、ガード部31c、31dを設置し、ブリッジ40には栓43、動阻害部44、45を設置する。
2.  カンチレバー第一端31とブリッジ40の対応形態は、練習者或いは使用者の安全を確実に守ることができる。特に、練習者がバランスを崩し、衝突し、或いは他の特殊な状況で、転倒或いはひっくり返る時には、カンチレバー30は、ブリッジ40と自動的に分離する。従来の構造では、補助装置とスキー20との連結関係により、人員の脚部の特殊状況に対応する本能を制限するため、練習者の脚部或いは足首が、負傷し易かったが、それを明確に改善することができる。
【００２３】
よって、本考案の応用における安全性は、可能な限り高められる。
すなわち、本考案のスキー或いはその類似物のスライド補助装置は、空間形態において従来の構造と異なり、しかも従来の構造中には存在しない長所を備え、非常に大きな進歩を示している。
【００２４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２６】
10  板状物
11  一端
12  嵌合ヘッド
13  ボルト
14  コネクター
15  開放辺
16  ブリッジ
20  スキー
30  カンチレバー
31  第一端
32  第二端
31a  開口
31b  槽室
31c、31d  ガード部
32a  コネクター
32b  開放辺
40  ブリッジ
41  上表面
42  下表面
43  栓
43a  頭部
44、45  動阻害部
50  ボルト
【図１】
0003177244.tif 000003
【図２】
0003177244.tif 000004
【図３】
0003177244.tif 000005
【図４】
0003177244.tif 000006
【図５】
0003177244.tif 000007
【図６】
0003177244.tif 000008
【図７】
0003177244.tif 000009